(57)【要約】【課題】  四つ足動物への装着に適したものであり、後ろ足の大腿部の周囲と胴回りの双方に密着しやすく、ずれが生じ難い動物用の吸収性物品を提供する。【解決手段】  吸収性物品１は、おむつなどとして使用されるものであり、中間部１１と腹当て部１２および背当て部１３を有している。中間部１１と背当て部１３との境界部には、尾を挿通する挿通部が設けられている。腹当て部１２の両側部には第１の可動部３１と第２の可動部３２が凹部３３で分離されて設けられており、第１の可動部３１に第１の固定突出片３が、第２の可動部３２に第２の固定突出片４が設けられている。可動部３１と３２が独立に動けるため、第１の固定突出片３の固定位置を調整することで、吸収性物品１を大腿部周囲に密着させることができ、第２の固定突出片４の固定位置を調整することで、胴回りの締め付けを調整できる。【選択図】図３
2006271212.tif 000002
【特許請求の範囲】
【請求項１】
動物の腹部側に当てられる腹当て部と、背側に当てられる背当て部とが設けられ、動物に対向する内面とその逆側の外面とを有する動物用の吸収性物品において、
腹当て部から背当て部に向かう方向を縦方向としたときに、腹当て部と背当て部のいずれか一方の両側部には、他方の外面に固定される固定部が設けられており、前記両側部のそれぞれには、複数の前記固定部が縦方向に距離を空けて設けられていることを特徴とする動物用の吸収性物品。
【請求項２】
前記固定部は、その縦方向の距離を広げることができるように設けられている請求項１記載の動物用の吸収性物品。
【請求項３】
前記腹当て部および背当て部を有する本体部が設けられ、前記本体部の両側部に、縦方向に分割された複数の可動部が一体に形成されており、それぞれの可動部に前記固定部が設けられている請求項２記載の動物用の吸収性物品。
【請求項４】
それぞれの可動部には、横方向へ突出する固定突出片が取り付けられており、この固定突出片に前記固定部が設けられている請求項３記載の動物用の吸収性物品。
【請求項５】
前記固定部は、それぞれの可動部の内面に設けられている請求項３記載の動物用の吸収性物品。
【請求項６】
前記腹当て部および背当て部を有する本体部が設けられ、前記本体部の両側部に、複数の固定補助体が取り付けられており、それぞれの固定補助体に前記固定部が設けられている請求項２記載の動物用の吸収性物品。
【請求項７】
それぞれの固定補助体には、横方向へ突出する固定突出片が取り付けられており、この固定突出片に前記固定部が設けられている請求項６記載の動物用の吸収性物品。
【請求項８】
前記固定部は、それぞれの固定補助体の内面に設けられている請求項６記載の動物用の吸収性物品。
【請求項９】
前記固定補助体は、伸縮性の素材で形成されている請求項６ないし８のいずれかに記載の動物用の吸収性物品。
【請求項１０】
前記腹当て部および背当て部を有する本体部が設けられ、前記本体部の両側部に、横方向へ突出する複数の固定突出片が取り付けられており、この固定突出片に固定部が設けられている請求項２記載の動物用の吸収性物品。
【請求項１１】
前記外面は、前記固定部の縦方向への固定位置を可変できる構造を有している請求項１ないし１０のいずれかに記載の動物用の吸収性物品。
【請求項１２】
前記外面には、前記固定部が固定される被着領域が設けられており、この被着領域の縦方向の長さ寸法が、前記固定部の縦方向の寸法よりも広い請求項１１記載の動物用の吸収性物品。
【発明の詳細な説明】
【技術分野】
【０００１】
本発明は、動物の下半身に装着させる吸収性物品に係り、特に四つ足動物の足回りと胴回りにフィットしやすい動物用の吸収性物品に関する。
【背景技術】
【０００２】
動物の尿や便あるいは経血を吸収するための従来の吸収性物品には、動物の腹側に当てられる腹当て部と、動物の背側に当てられる背当て部とを有する縦長のものがある。この吸収性物品は、腹当て部と背当て部の間に位置する中間部が後ろ足の大腿部の周囲に巻きつくように装着される。腹当て部の両側部には、面ファスナーなどの固定部を有する固定片が設けられており、腹当て部を動物の腹側に設置した状態で、前記固定片を持ち上げて、吸収性物品の背当て部の外面に固定する。
【特許文献１】特開２００４−１５９５９１号公報
【発明の開示】
【発明が解決しようとする課題】
【０００３】
四つ足動物用の吸収性物品は、腹当て部と背当て部を動物の胴回りに巻きつけて締め付けることが必要であるとともに、後ろ足の大腿部周辺にしっかり巻きつけて締め付けることが必要である。大腿部への締め付けが緩いと、吸収性物品と動物の排泄部との密着度が低下して、尿や便の洩れなどが生じやすくなる。また雄動物の場合に性器が吸収性物品の中間部の側部からはみ出す心配もある。
【０００４】
従来の動物用の吸収性物品は、腹当て部の両側部のそれぞれに固定片が１個ずつ設けられ、腹当て部の両側部の１箇所ずつが背当て部の外面に固定される構造である。しかし、四つ足動物の体型は、後ろ足の大腿部の周長が長く、胴回りの周長は、大腿部の周長と同じかそれよりも短いのが一般的である。しかも、吸収性物品の腹当て部と背当て部とを固定できる領域が、肛門などの排泄部よりもかなり前方へ位置している。
【０００５】
そのため、吸収性物品の腹当て部を腹側に当て、固定片を引き上げて、この固定片を背当て部の外面にしっかり固定させても、吸収性物品の中間部を後ろ足の大腿部の周囲に確実に締め付けることが難しい。その結果、大腿部において吸収性物品に弛みが生じたり、さらには胴回りに装着した吸収性物品が後方へ位置ずれして、吸収性物品の中間部が後ろ足の膝あたりまでずれ落ちることもある。
【０００６】
本発明は上記従来の課題を解決するものであり、吸収性物品を四つ足動物の後ろ足の大腿部周辺と胴回りの双方に対してしっかり締め付けることが可能とされた動物用の吸収性物品を提供することを目的としている。
【課題を解決するための手段】
【０００７】
本発明は、動物の腹部側に当てられる腹当て部と、背側に当てられる背当て部とが設けられ、動物に対向する内面とその逆側の外面とを有する動物用の吸収性物品において、
腹当て部から背当て部に向かう方向を縦方向としたときに、腹当て部と背当て部のいずれか一方の両側部には、他方の外面に固定される固定部が設けられており、前記両側部のそれぞれには、複数の前記固定部が縦方向に距離を空けて設けられていることを特徴とするものである。
【０００８】
本発明では、両側部に固定部が複数設けられているため、吸収性物品の中間部に近い側に位置する固定部を外面に固定する際に、前記中間部で後ろ足の大腿部周辺をしっかり締め付けることができ、さらに吸収性物品の端部に近い側に位置する固定部を外面に固定することにより、腹当て部と背当て部とを動物の胴回りにしっかり巻き付けることが可能である。すなわち固定部での締め付け量および締め付け方向を、大腿部周辺と胴回り部とで個別に設定することが可能である。
【０００９】
本発明は、前記固定部は、その縦方向の距離を広げることができるように設けられていることが好ましい。
【００１０】
固定部の縦方向の距離を広げることができると、固定部の締め付け方向を、固定部ごとに独立させることができ、大腿部と胴回りの双方に対して吸収性物品を締め付けるのが容易になる。
【００１１】
例えば、本発明は、前記腹当て部および背当て部を有する本体部が設けられ、前記本体部の両側部に、縦方向に分割された複数の可動部が一体に形成されており、それぞれの可動部に前記固定部が設けられているものである。
【００１２】
本体部に一体に形成された可動部を縦方向に分離するための構造としては、本体部の両側部において、可動部と可動部との間に凹部を形成してもよいし、または可動部と可動部との間に、切断線を形成してもよい。
【００１３】
なお、固定部を設ける位置としては、それぞれの可動部に、横方向へ突出するテープ状の固定突出片が取り付けられて、この固定突出片に前記固定部が設けられ、あるいは、前記固定部は、それぞれの可動部の内面に設けられる。
【００１４】
また本発明は、前記腹当て部および背当て部を有する本体部が設けられ、前記本体部の両側部に、複数の固定補助体が取り付けられており、それぞれの固定補助体に前記固定部が設けられているものであってもよい。
【００１５】
この場合においても、それぞれの固定補助体には、横方向へ突出するテープ状の固定突出片が取り付けられており、この固定突出片に前記固定部が設けられている構造にでき、あるいは、前記固定部は、それぞれの固定補助体の内面に設けられている構造にできる。さらに、前記固定補助体は、伸縮性の素材で形成されていることが好ましい。
【００１６】
また本発明は、前記腹当て部および背当て部を有する本体部が設けられ、前記本体部の両側部に、横方向へ突出する複数のテープ状の固定突出片が取り付けられており、この固定突出片に固定部が設けられているものであってもよい。
【００１７】
このように、本体部の両側部から複数の固定突出片が突出しているものであっても、この固定突出片の締め付け量を個別に設定でき、また固定突出片を互いに離れる方向へ変形させることにより、それぞれの固定部の締め付け方向を個別に設定することが可能である。
【００１８】
さらに本発明は、前記外面は、前記固定部の縦方向への固定位置を可変できる構造を有していることが好ましい。例えば、前記外面には、前記固定部が固定される被着領域が設けられており、この被着領域の縦方向の長さ寸法が、前記固定部の縦方向の寸法よりも広いものである。
【００１９】
上記のように、固定部と外面との固定位置を吸収性物品の縦方向の広い範囲で変更できるようにすると、複数の固定部の締め付け方向を動物の体型に合わせて自由に調節することができる。
【発明の効果】
【００２０】
本発明では、吸収性物品の腹当て部と背当て部とを、複数の固定部を介して固定することができるため、吸収性物品を後ろ足の大腿部周囲に締め付けることができ、また、腹当て部と背当て部を胴回りにしっかり固定することができる。そのため、排泄部から排泄される尿や便が洩れにくくなり、さらに吸収性物品が位置ずれしたり、ずれ落ちるのを防止しやすくなる。
【発明を実施するための最良の形態】
【００２１】
図１は本発明の第１の実施の形態の動物用の吸収性物品を内面側から見た平面図、図２は吸収性物品を外面側から見た平面図である。
【００２２】
図１と図２に示す吸収性物品１は、本体部２と、第１の固定突出片３および第２の固定突出片４と、第１の被着シート５および第２の被着シート６とを有している。
【００２３】
図１に示すように、前記本体部２は、中間部１１と、中間部１１に連続する腹当て部１２と、中間部１１に連続する背当て部１３とに区分される。この吸収性物品１は、犬や猫などの四つ足動物に装着させるのに適したものである。図３に示すように、中間部１１は、主に後ろ足の大腿部の周囲に巻き付けられる部分である。腹当て部１２は、大腿部よりも前方において動物の腹側に当てられる部分であり、背当て部１３は大腿部よりも前方において動物の背側に当てられる部分である。大腿部よりも前方では、腹当て部１２と背当て部１３とが動物の胴回りに巻き付けられて装着される。
【００２４】
腹当て部１２から背当て部１３に延びるＹ方向が縦方向であり、Ｙ方向と直交するＸ方向が横方向である。本体部２は、縦方向の長さ寸法が横方向の幅寸法よりも長い縦長形状である。また、図１に示すように吸収性物品１を平面に展開したときに、説明の便宜上、Ｙ１方向を前方とし、腹当て部１２の端部を前端部１４とする。また、Ｙ２方向を後方とし、背当て部１３の端部を後端部１５とする。図１に示すように、内面側から見た状態で、Ｘ１側を右側とし、Ｘ１側の縁部を右側縁部１６、Ｘ２側を左側とし、Ｘ２側の縁部を左側縁部１７とする。
【００２５】
図１に示すように、本体部２の内面には液透過性の透液シート２１が現れている。図２に示すように、本体部２の外面には液不透過性の外面シート２２が設けられている。透液シート２１と外面シート２２の外形は、図１と図２に示す本体部２の外形に一致している。透液シート２１と外面シート２２との間には、吸収コア２３が挟まれている。この吸収コア２３は、中間部１１から腹当て部１２にかけて設けられている。透液シート２１と吸収コア２３は、液の透過を妨げない量のホットメルト型接着剤で互いに接着され、外面シート２２と吸収コア２３もホットメルト型接着剤で接着されている。吸収コア２３が設けられていない領域では、透液シート２１と外面シート２２がホットメルト型接着剤で互いに接着されている。また、吸収コア２３が設けられていない領域で、透液シート２１と外面シート２２との間に、親水性のティッシュペーパなどの薄い吸収層が設けられていてもよい。
【００２６】
図１に示す内面では、左右両側のそれぞれに側部シート２４が設けられている。側部シート２４は液不透過性であることが好ましい。右側の側部シート２４は、前記右側縁部１６と境界線２４ｂとの間で透液シート２１に接着固定されている。左側の側部シート２４も、左側縁部１７と境界線２４ｂとの間で透液シート２１に接着固定されている。左右両側のそれぞれ側部シート２４は、前記境界線２４ｂよりも内側に自由縁２４ａを有している。前記自由縁２４ａでは、側部シート２４に縦方向に弾性収縮力を発揮する弾性部材２５が設けられている。弾性部材２５の前端２５ａは、本体部２の前端部１４の近傍に位置し、弾性部材２５の後端２５ｂは、中間部１１と背当て部１３との境界付近に位置している。
【００２７】
弾性部材２５の前端２５ａの近傍から後端２５ｂの近傍までの範囲では、境界線２４ｂと自由縁２４ａとの間に位置する側部シート２４の一部が透液シート２１に固定されておらず自由状態である。また、境界線２４ｂと自由縁２４ａとの間に位置する側部シート２４は、前記前端２５ａよりも前方および後端２５ｂよりも後方において、透液シート２１に接着されている。図３に示すように、吸収性物品１を曲げて動物に装着したときに、前端２５ａの近傍から後端２５ｂの近傍までの範囲において、境界線２４ｂと自由縁２４ａとの間に位置する側部シート２４の一部が、弾性部材２５の弾性収縮力を受けて、透液シート２１から内側に立ち上がり、防漏カフが形成される。
【００２８】
前記透液シート２１は、液透過性の不織布、多数の液透過孔が形成された不織布、多数の液透過孔が形成された樹脂フィルムなどで形成される。外面シート２２は、液不透過性の不織布で、例えばスパンボンド不織布／メルトブローン不織布／スパンボンド不織布が互いに熱接合されたＳＭＳ複合不織布などで形成される。あるいは、外面シート２２は樹脂フィルムで形成される。さらに外面シート２２を形成する液不透過性の不織布や樹脂フィルムの外面に、スパンレース不織布や、スルーエア不織布などのように、面ファスナーが掛止可能な不織布が設けられているものであってもよい。吸収コア２３は、パルプ積層体またはパルプと高吸水性樹脂との混合体が親水性のティッシュペーパで包まれたもの、あるいはパルプをバインダーで接合したエアレイドパルプなどが使用される。側部シート２４は、前記ＳＭＳ不織布やスパンボンド不織布などで形成される。
【００２９】
前記中間部１１では、右側縁部１６の内側および左側縁部１７の内側に、縦方向に延びる側部弾性部材２６が設けられている。この側部弾性部材２６は、縦方向へ伸ばされた状態で、透液シート２１と外面シート２２との間に接着されている。この側部弾性部材２６の弾性収縮力によって、右側縁部１６と左側縁部１７にギャザーが形成され、中間部１１に位置する右側縁部１６と左側縁部１７が、後ろ足の大腿部の周囲を締め付けることができる。
【００３０】
本体部２の前端部１４には横方向に延びる前端弾性部材２７が設けられ、後端部１５には、横方向に延びる後端弾性部材２８が設けられている。前端弾性部材２７と後端弾性部材２８は、横方向に伸ばされた状態で、透液シート２１と外面シート２２との間に接着固定されている。前端弾性部材２７の弾性収縮力によって、本体部２の前端部１４に、横方向へ収縮する胴回りギャザーが形成され、後端弾性部材２８の弾性収縮力によって、後端部１５に、胴回りギャザーが形成される。
【００３１】
本体部２の中間部１１の後方部分では、前記吸収コア２３から外れた位置に、透液シート２１と後面シート２２とを切断するＵ字状の切断線２９が形成されている。この切断線２９で囲まれた部分が、動物の尾の挿通部となる。
【００３２】
図１と図２に示すように、本体部２は縦方向中心線Ｏに対して左右に対称形状である。腹当て部１２では、右側部と左側部のそれぞれに、第１の可動部３１と第２の可動部３２がそれぞれ形成されている。第１の可動部３１と第２の可動部３２との間では、右側縁部１６および左側縁部１７が縦方向中心線Ｏに向け窪んだ凹部３３が形成されている。よって、第１の可動部３１と第２の可動部３２は、縦方向において分離されている。第１の可動部３１と第２の可動部３２は、透液シート２１と外面シート２２および側部シート２４が重ねられて接着されたシート積層体によって構成されている。
【００３３】
第１の可動部３１と第２の可動部３２は、その厚み方向へ互いに独立して自由に曲げ変形可能であるとともに、前記シート積層体の変形によって、図２に示すように、互いに接近する方向であるα方向と、互いに離れる方向であるβ方向へ変形可能である。第１の可動部３１と第２の可動部３２が、前記α方向とβ方向へ自由度を有して変形できるためには、前記凹部３３の深さ寸法Ｄｘが、２０ｍｍ以上であることが好ましく、さらに好ましくは３０ｍｍ以上である。
【００３４】
第１の可動部３１には、第１の固定突出片３が取り付けられている。第１の固定突出片３は、樹脂フィルム、不織布、織布、あるいは樹脂フィルムと不織布との積層体などで長方形（テープ状）に形成されている。第１の固定突出片３は、第１の可動部３１において外面シート２２の外面に接着固定されている。第１の固定突出片３は、本体部２の右側縁部１６よりもさらに外側へ突出しており、本体部２から突出している部分の内面に第１の固定部３ａが設けられている。同様に、第２の可動部３２では、外面シート２２に第２の固定突出片４が接着固定されており、この第２の固定突出片４における本体部２から突出している部分の内面に、第２の固定部４ａが設けられている。
【００３５】
図２に示すように、背当て部１３では、外面シート２２の外面に、第１の被着シート５と第２の被着シート６が縦方向へわずかに距離を空けて固定されている。第１の被着シート５は、中間部１１に近い位置に設けられているものであり、図３に示すように、吸収性物品１を動物に装着したときに、それぞれの第１の固定部３ａが第１の被着シート５に固定される。第２の被着シート６は、後端部１５に近い側に設けられているものであり、吸収性物品１を動物に装着したときに、それぞれの第２の固定部４ａが第２の被着シート６に固定される。
【００３６】
第１の被着シート５と第２の被着シート６は、縦方向中心線Ｏを通過して、横方向（Ｘ方向）に連続して延びており、第１の被着シート５の横方向（Ｘ方向）の長さ寸法Ｗ２と、第２の被着シート６の横方向（Ｘ方向）の長さ寸法Ｗ３は、第１の固定部３ａおよび第２の固定部４ａの横方向の長さ寸法Ｗ１よりも十分に大きく設定されている。よって、第１の固定部３ａが第１の被着シート５に接合される箇所を、動物の体型に合わせて横方向の広い範囲で変更可能である。同様に、第２の固定部４ａが第２の被着シート６に接合される箇所も、横方向の広い範囲で変更可能である。
【００３７】
図２に示すように、第１の固定部３ａと第２の固定部４ａは、その縦方向の寸法Ｌ１が同じである。第１の被着シート５の縦方向の寸法Ｌ２と、第２の被着シート６の縦方向の寸法Ｌ３は、共に前記固定部３ａ，４ａの寸法Ｌ１よりも十分に大きく、例えば寸法Ｌ２と寸法Ｌ３は、前記寸法Ｌ１の２倍以上である。また、第１の固定部３ａと第２の固定部４ａの縦方向の寸法が相違している場合は、前記寸法Ｌ２と寸法Ｌ３は、第１の固定部３ａと第２の固定部４ａの縦方向の寸法の大きい方の値に対して２倍以上である。よって、第１の固定部３ａが第１の被着シート５に接合される箇所を、動物の体型に合わせて縦方向の任意の位置に調節可能である。同様に、第２の固定部４ａが第２の被着シート６に接合される箇所も、縦方向の任意の位置に調節可能である。
【００３８】
図２に示すように、第１の被着シート５には、第１の固定部３ａが接合される箇所の縦方向の位置の目安を段階的に示すマーク５ａが付されている。同様に、第２の被着シート６には、第２の固定部４ａが接合される箇所の縦方向の位置の目安を段階的に示すマーク６ａが付されている。さらに固定部３ａ，４ａが被着シート５，６に接合される箇所の横方向の位置の目安を段階的に示すマークを付してもよい。このマーク５ａ，６ａを付しておくことにより、個々の動物において最適な接合位置を把握でき、吸収性物品１を交換して動物に装着するときに、常にその動物に合った同じ条件で吸収性物品１を装着できるようになる。
【００３９】
第１の固定部３ａと第２の固定部４ａ、および第１の被着シート５と第２の被着シート６は、いわゆる面ファスナーであり、固定部３ａ，４ａと、被着シート５，６のいずれか一方には、多数の鉤状またはキノコ型の突起が形成され、他方には、前記突起が掛止される多数のループなどの被掛止部が形成されている。これはベルクロ（Velcro）ファスナー（登録商標）と称されるものである。また、第１の固定突出片３と第２の固定突出片４を、粘着テープで構成し、第１の固定部３ａと第２の固定部４ａを粘着層とすることも可能である。この場合、第１の被着シート５と第２の被着シート６は、樹脂フィルムで構成されることが好ましい。
【００４０】
図３は、前記吸収性物品１が動物に装着された状態の一例を示している。図３では動物の一例が犬である。
【００４１】
吸収性物品１の内面を動物に向けた状態で、尾を切断線２９で囲まれた挿通部に挿通させて外面側へ突出させる。本体部２の背当て部１３を動物の背側に当て、腹当て部１２を、動物の腹側に当てる。そして、第１の可動部３１と第２の可動部３２を、背当て部１３の外面と重なる位置まで引き上げ、第１の固定突出片３に設けられた第１の固定部３ａを、第１の被着シート５の表面に接合し、第２の固定突出片４に設けられた第２の固定部４ａを、第２の被着シート６の表面に接合する。
【００４２】
第１の可動部３１と第２の可動部３２は、凹部３３を挟んで縦方向に分離され、さらに第１の固定突出片３と第２の固定突出片４も縦方向に分離されている。この可動部３１，３２を変形させ、また固定突出片３，４を変形させることによって、第１の固定部３ａと第２の固定部４ａとの相対位置を横方向と縦方向において比較的自由に変化させることが可能である。よって、第１の固定部３ａを第１の被着シート５に接合させる箇所と、第２の固定部４ａを第２の被着シート６に接合させる箇所とを、横方向において互いに独立して調整することができる。さらに、第１の固定部３ａを第１の被着シート５に接合させる箇所と、第２の固定部４ａを第２の被着シート６に接合させる箇所とを、縦方向において互いに独立して調整することができる。
【００４３】
例えば、第１の固定部３ａを第１の被着シート５の表面に接合するときに、その接合箇所を横方向および縦方向において調整し、中間部１１に設けられている側部弾性部材２６を十分に伸ばすことにより、中間部１１の右側縁部１６と左側縁部１７で、後ろ足の大腿部の周囲をしっかり締め付けることができる。さらに、第２の固定部４ａを第２の被着シート６に接合する箇所を、横方向および縦方向において調整することにより、前端弾性部材２７と後端弾性部材２８の張力を適度に調整して、腹当て部１２と背当て部１３を、胴回り部にしっかり密着させることができる。
【００４４】
このように、第１の可動部３１による締め付け位置および締め付け方向と、第２の可動部３２による締め付け位置および締め付け方向を、独立して調整できるため、吸収性物品１を後ろ足の大腿部の周囲にしっかり締め付けることができ、且つ胴回り部にしっかり締め付けることができる。そのため、吸収コア２３が設けられている部分が動物の排泄部に密着した状態を維持でき、また吸収性物品１が位置ずれしたり、ずれ落ちるのを防止しやすくなる。
【００４５】
図４は、前記実施の形態と対比する比較例として、従来の吸収性物品５１が、動物に装着された状態を示す説明図である。
【００４６】
比較例の吸収性物品５１は、中間部５２、腹当て部５３および背当て部５４を有しているものであるが、腹当て部５３の両側部に固定突出片５５が１個だけ設けられ、背当て部５４にも被着シート５６が１個のみ設けられている。
【００４７】
この吸収性物品５１を動物に装着するときには、動物に対する吸収性物品５１の締め付け状態を、固定突出片５５と被着シート５６との１箇所の接合部の位置を変えることでしか調節することができない。したがって、固定突出片５５を引き上げて、吸収性物品５１が後ろ足の大腿部の周囲にしっかり巻き付くように調整しようとすると、腹当て部５３と背当て部５４とで胴回り部をしっかり締め付けることができない場合が生じやすく、逆に胴回りをしっかり締め付けるように装着すると、大腿部の周囲で弛みが発生しやすくなる。前記実施の形態は、大腿部への締め付けと胴回りへの締め付けとを互いに独立して調整できるため、前記比較例のような不都合が生じにくくなる。
【００４８】
以下本発明の他の実施の形態について説明する。以下において、特に説明しない限り、吸収性物品の各部分の構造は、前記第１の実施の形態の吸収性物品１と同じである。
【００４９】
図５は、本発明の第２の実施の形態の吸収性物品１０１を、図２と同様に外面側から示す平面図である。
【００５０】
この吸収性物品１０１では、背当て部１３の外面において、外面シート２２に１つの被着シート１０５が固定されている。この被着シート１０５は、横方向の幅寸法Ｗ４が、第１の固定部３ａと第２の固定部４ａの横方向の寸法Ｗ１よりも十分に大きく、被着シート１０５の縦方向の寸法Ｌ４は、図２に示す第１の被着シート５の寸法Ｌ２と第２の被着シート６の寸法Ｌ３とを加算した値と等しいか、あるいはそれよりも大きくなっている。被着シート１０５の縦方向の寸法Ｌ４は、固定部３ａ，４ａの縦方向の寸法Ｌ１の４倍以上である。
【００５１】
この吸収性物品１０１では、第１の固定部３ａが被着シート１０５に接合される位置、および第２の固定部４ａが被着シート１０５に接合される位置を、横方向および縦方向の広い範囲において自由に設定することが可能である。
【００５２】
また、第１の固定部３ａと第２の固定部４ａが、多数の鉤状またはキノコ状の突起を有する面ファスナーである場合には、少なくとも背当て部１３の外面の全域に、前記突起が掛止可能なシートを設けることによって、第１の被着シート５と第２の被着シート６の一方または両方を省略することができる。第１の固定部３ａと第２の固定部４ａに設けられた多数の突起が掛止可能なシートは、例えばスパンレース不織布や、スルーエア不織布などのように、表面に自由な状態の繊維が現れている不織布などである。
【００５３】
また、第１の固定部３ａと第２の固定部４ａが粘着層（感圧接着剤層）である場合には、外面シート２２を樹脂フィルムや不織布で形成することにより、第１の固定部３ａと第２の固定部４ａが接合される位置を自由に変化させることができる。いずれにせよ本発明の実施の形態は、第１の固定部３ａおよび第２の固定部４ａが、吸収性物品の外面に接合される箇所が、横方向および縦方向の広い範囲で調整することが可能である。
【００５４】
図６（Ａ）（Ｂ）は、それぞれ本発明の第３の実施の形態の吸収性物品２０１の一部分を、内面から見た部分平面図である。
【００５５】
図６（Ａ）に示す吸収性物品２０１は、腹当て部１２において、本体部２の右側縁部１６および左側縁部１７から縦方向中心線Ｏに向けて、横方向に直線状に延びる切断線２３３が形成されており、この切断線２３３によって、第１の可動部２３１と第２の可動部２３２とが、縦方向に分割されている。そして、第１の可動部２３１に第１の固定突出片３が取り付けられ、第２の可動部２３２に第２の固定突出片４が取り付けられている。図６（Ａ）に示す吸収性物品２０１では、互いに分離された第１の可動部２３１と第２の可動部２３２とが独立して変形できる。
【００５６】
図６（Ｂ）に示す吸収性物品２０１は、本体部２に、図６（Ａ）に示した切断線２３３と交叉する（好ましくは直交する）他の切断線２３４が形成されている。この実施の形態では、切断線２３３とこれに交叉する他の切断線２３４が形成されているため、第１の可動部２３１と第２の可動部２３２とが、縦方向において互いに離れる方向へ変形しやすい。よって、第１の固定部３ａと第２の固定部４ａによる動物に対する締め付け方向を、互いに独立して設定しやすくなる。
【００５７】
図７（Ａ）（Ｂ）は、それぞれ本発明の第４の実施の形態の吸収性物品３０１の一部分を、内面から見た部分平面図である。
【００５８】
図７（Ａ）に示す吸収性物品３０１では、腹当て部１２において、本体部２の両側部に、固定補助体３３０が接合されて、この固定補助体３３０が、本体部２から横方向へ突出している。この固定補助体３３０に、第１の可動部３３１と第２の可動部３３２、および両可動部３３１と３３２を分割する凹部３３３が形成されている。第１の可動部３３１には、第１の固定突出片３が取り付けられ、第２の可動部３３２に、第２の固定突出片４が取り付けられている。
【００５９】
前記固定補助体３３０は、不織布や樹脂フィルムなどの軟質なシートであればどのような材質で形成されてもよい。ただし、固定補助体３３０が伸縮性のシートで形成されていると、第１の可動部３３１と第２の可動部３３２とを、自由に変形させることが可能になる。例えば、ポリウレタン樹脂などの伸縮性繊維で形成された伸縮性不織布、ポリウレタン繊維が縫い込まれた伸縮性の織布などである。あるいは伸縮性の樹脂フィルムであってもよい。
【００６０】
図７（Ｂ）に示す吸収性物品３０１では、第１の可動部３３１と第２の可動部３３２とが、それぞれ独立した固定補助体で形成されている。この固定補助体は、図７（Ａ）に示す固定補助体３３０と同じ素材で形成される。図７（Ｂ）の実施の形態では、第１の可動部３３１と第２の可動部３３２とが、別々の固定補助体となっているため、互いに独立して動きやすくなる。
【００６１】
図８は、本発明の第５の実施の形態の吸収性物品４０１の一部分を、内面から見た部分平面図である。
【００６２】
第５の実施の形態の吸収性物品４０１では、図１に示す吸収性物品１と同様に、腹当て部１２において、本体部２の両側部に、第１の可動部３１と第２の可動部３２が一体に形成され、第１の可動部３１と第２の可動部３２が凹部３３により分離されている。この実施の形態では固定突出片３，４が設けられておらず、第１の可動部３１の内面に、第１の固定部４０３が直接に取り付けられており、第２の可動部３２の内面に第２の固定部４０４が直接に取り付けられている。第１の可動部３１と第２の可動部３２が互いに独立して動くことにより、第１の固定部４０３と第２の固定部４０４との間隔を自由に設定することが可能である。この場合、凹部３３の深さ寸法は３０ｍｍ以上であることが好ましい。
【００６３】
図９（Ａ）（Ｂ）は、本発明の第６の実施の形態の吸収性物品５０１の一部分を、内面から見た部分平面図である。
【００６４】
図９（Ａ）と図９（Ｂ）に示す吸収性物品５０１の第１の可動部２３１と第２の可動部２３２は、図６（Ａ）と図６（Ｂ）に示した実施の形態と同じである。この吸収性物品５０１も、固定突出片３，４が設けられておらず、第１の可動部２３１の内面に、第１の固定部５０３が直接に取り付けられており、第２の可動部２３２の内面に、第２の固定部５０４が直接に取り付けられている。
【００６５】
図１０（Ａ）（Ｂ）は、本発明の第７の実施の形態の吸収性物品６０１の一部分を、内面から見た部分平面図である。
【００６６】
図１０（Ａ）と図１０（Ｂ）に示す吸収性物品６０１の第１の可動部３３１と第２の可動部３３２は、図７（Ａ）と図７（Ｂ）に示した実施の形態と同じである。この吸収性物品６０１では、第１の可動部３３１の内面に、第１の固定部６０３が直接に取り付けられており、第２の可動部３３２の内面に、第２の固定部６０４が直接に取り付けられている。
【００６７】
図９と図１０に示す実施の形態においても、第１の可動部と第２の可動部とが独立して動くことができるため、第１の固定部と吸収性物品の外面との接合位置、および第２の固定部と吸収性物品の外面との接合位置を、自由に調節することができる。
【００６８】
図１１は、本発明の第８の実施の形態の吸収性物品７０１の一部分を、内面から見た部分平面図である。
【００６９】
この吸収性物品７０１では、腹当て部１２において、本体部２の両側部から，比較的長い寸法の第１の固定突出片７０３と第２の固定突出片７０４が取り付けられている。第１の固定突出片７０３には、本体部２の側縁部から離れた位置に第１の固定部７０３ａが取り付けられており、第２の固定突出片７０４には、本体部２の側縁部から離れた位置に第２の固定部７０４ａが取り付けられている。比較的長い固定突出片７０３と７０４が本体部２に取り付けられているため、第１の固定部７０３ａと第２の固定部７０４ａが、互いに接近する方向および互いに離れる方向へ自由に動くことができる。
【００７０】
図１２は、本発明の第９の実施の形態の吸収性物品８０１の一部分を、内面から見た部分平面図である。
【００７１】
この吸収性物品８０１では、腹当て部１２において、本体部の両側部に、図１に示した第１の固定突出片３と第２の固定突出片４が取り付けられている。あるいは図１１に示す固定突出片７０３，７０４が取り付けられてもよい。
【００７２】
本体部の側部には、縦方向に弾性収縮力を発揮する弾性部材８０２が取り付けられており、自由状態では、本体部２に、第１の固定突出片３と第２の固定突出片４とを互いに接近させるギャザー８０３が形成されている。この吸収性物品８０１では、第１の固定部３ａを第１の被着シート５に接合させて、吸収性物品８０１で後ろ足の大腿部を締め付けた状態で、ギャザー８０３を広げるようにして、第２の固定突出片４を第１の固定突出片３から離れる方向へ移動させながら、第２の固定部４ａを第２の被着シート６に接合することができる。この吸収性物品８０１であっても、大腿部への締め付けと胴回りへの締め付けの双方を個別に調整することができる。
【００７３】
なお、前記各実施の形態では、腹当て部１２側に第１の固定部と第２の固定部が設けられるものとして説明したが、これとは逆に、第１の可動部と第２の可動部、第１の固定部と第２の固定部、第１の固定補助体と第２の固定補助体を、背当て部１３の両側部に設け、第１の固定部と第２の固定部が、腹当て部の外面に接合固定されるものであってもよい。
【００７４】
また、前記各実施の形態は、図１と図２に示すように、平面的に展開できるものであるが、例えば、右側縁部１６どうしと左側縁部１７どうしがこれら縁部に沿って所定の距離を空けて接合されて、後ろ足が挿入される脚用開口部が形成されたいわゆるパンツ型の吸収性物品であってもよい。この場合、腹当て部１２の両側部と背当て部１３の両側部が互いに接合されておらず、第１の固定部３ａと第２の固定部４ａとで、大腿部と胴回り部を、互いに独立して締め付けることができるものとして構成できる。
【図面の簡単な説明】
【００７５】
【図１】本発明の第１の実施の形態の動物用の吸収性物品を内面側から示す平面図、
【図２】本発明の第１の実施の形態の動物用の吸収性物品を外面側から示す平面図、
【図３】第１の実施の形態の吸収性物品が動物に装着された状態を示す説明側面図、
【図４】比較例の吸収性物品が動物に装着された状態を示す説明側面図、
【図５】本発明の第２の実施の形態の動物用の吸収性物品を外面側から示す平面図、
【図６】（Ａ）（Ｂ）は、本発明の第３の実施の形態の動物用の吸収性物品の一部を内面側から示す部分平面図、
【図７】（Ａ）（Ｂ）は、本発明の第４の実施の形態の動物用の吸収性物品の一部を内面側から示す部分平面図、
【図８】本発明の第５の実施の形態の動物用の吸収性物品の一部を内面側から示す部分平面図、
【図９】（Ａ）（Ｂ）は、本発明の第６の実施の形態の動物用の吸収性物品の一部を内面側から示す部分平面図、
【図１０】（Ａ）（Ｂ）は、本発明の第７の実施の形態の動物用の吸収性物品の一部を内面側から示す部分平面図、
【図１１】本発明の第８の実施の形態の動物用の吸収性物品の一部を内面側から示す部分平面図、
【図１２】本発明の第９の実施の形態の動物用の吸収性物品の一部を内面側から示す部分平面図、
【符号の説明】
【００７６】
１  吸収性物品
２  本体部
３  第１の固定突出片
３ａ  第１の固定部
４  第２の固定突出片
４ａ  第２の固定部
５  第１の被着シート
６  第２の被着シート
１１  中間部
１２  腹当て部
１３  背当て部
１４  前端部
１５  後端部
１６  右側縁部
１７  左側縁部
２１  透液シート
２２  外面シート
２３  吸収コア
２４  側部シート
２６  側部弾性部材
２７  前端弾性部材
２８  後端弾性部材
３１  第１の可動部
３２  第２の可動部
３３  凹部
１０１  吸収性物品
１０５  被着シート
２０１  吸収性物品
２３１  第１の可動部
２３２  第２の可動部
２３３  切断線
２３４  他の切断線
３０１  吸収性物品
３３０  固定補助体
３３１  第１の可動部
３３２  第２の可動部
３３３  凹部
４０１  吸収性物品
４０３  第１の固定部
４０４  第２の固定部
５０１  吸収性物品
５０３  第１の固定部
５０４  第２の固定部
６０１  吸収性物品
６０３  第１の固定部
６０４  第２の固定部
７０１  吸収性物品
７０３  第１の固定突出片
７０３ａ  第１の固定部
７０４  第２の固定突出片
７０４ａ  第２の固定部
８０１  吸収性物品
【図１】
2006271212.tif 000003
【図２】
2006271212.tif 000004
【図３】
2006271212.tif 000005
【図４】
2006271212.tif 000006
【図５】
2006271212.tif 000007
【図６】
2006271212.tif 000008
【図７】
2006271212.tif 000009
【図８】
2006271212.tif 000010
【図９】
2006271212.tif 000011
【図１０】
2006271212.tif 000012
【図１１】
2006271212.tif 000013
【図１２】
2006271212.tif 000014